(57)【要約】サーフボードを据え付け、保管し、および表示するためのサーフボード・ラック。サーフボードを載せてそのフィンで支えて吊すことによって、サーフボートの吊しが行われる。本発明は、壁のような垂直表面上に装着し取り付けるように構成される。本発明は、表面上に取り付けるための留め板を含むラック本体と、サーフボードをフィンによって保持する延長アームを有するＴ字状本体と、調節可能性および補強支持を与えるためにアームに取り付けられる２つのスリーブとを含む。【選択図】図１
2017511763.tif 000002
【特許請求の範囲】
【請求項１】
少なくとも１つのサーフボードを、当該サーフボードのフィンを支えて留めることによって据え付け、保管し、および表示するサーフボード・ラック（１００）であって、前記少なくとも１つのサーフボードが、少なくとも２つの平行なフィンを有する第１端部と、第２端部とを含み、前記サーフボード・ラックが、
ａ）少なくとも２つのアーム（２）と、表面上に取り付け可能な留め板（３）とを含む主要本体（１）と、
ｂ）前記少なくとも２つのアーム上に取り付け可能な支持スリーブ（４）であって、前記第２端部が前記表面にもたれつつ、前記可調節支持スリーブ（４）が、前記サーフボードの前記第１端部にある前記少なくとも２つのフィンを収容するように構成される、支持スリーブ（４）と、
を含む、サーフボード・ラック（１００）。
【請求項２】
請求項１記載のサーフボード・ラックにおいて、前記サーフボード・ラックが、前記少なくとも１つのサーフボードを収容したときに、正面からの視界では見えない、サーフボード・ラック。
【請求項３】
請求項１記載のサーフボード・ラックにおいて、前記支持スリーブ（４）が調節可能である、サーフボード・ラック。
【請求項４】
請求項１記載のサーフボード・ラックにおいて、前記主要本体、留め板、および可調節支持スリーブが、金属、プラスチック、複合材、木材、およびこれらの任意の組み合わせから成る一群から選択された材料で作られる、サーフボード・ラック。
【請求項５】
請求項１記載のサーフボード・ラックにおいて、前記少なくとも２つの滑りスリーブ（４）が、異なるサーフボードの幅の異なる幅に対して、および／または特にサーフボードのフィン間の異なる間隔に合わせて調節可能である、サーフボード・ラック。
【請求項６】
請求項１記載のサーフボード・ラックにおいて、前記少なくとも２つの滑りスリーブ（４）が、その端部の各々にバリア（５）を含み、前記バリア（５）が、前記サーフボードを適所にて安定させ、それが滑り落ちることまたは落下することを防止するように構成される、サーフボード・ラック。
【請求項７】
請求項１記載のサーフボード・ラックにおいて、前記少なくとも２つの滑りスリーブ（４）が、前記サーフボード／フィンに対する損傷を防止するように構成されたクッション・リング（６）を含む、サーフボード・ラック。
【請求項８】
請求項１記載のサーフボード・ラックにおいて、少なくとも１つの照明装置（１０）が前記主要本体に取り付けられ、前記サーフボード背後のエリアおよびその周囲の表面を照らす、サーフボード・ラック。
【請求項９】
請求項１記載のサーフボード・ラックにおいて、前記少なくとも２つのアーム（２）が、その側面に沿って少なくとも１つの切り込み（８）を含み、前記少なくとも２つの滑りスリーブが、その側面に沿って細長い突起（９）を含み、前記少なくとも１つの切り込みが、前記突起を収容することによって、前記少なくとも２つの滑りスリーブを前記アームに固定するように構成される、サーフボード・ラック。
【請求項１０】
請求項１記載のサーフボード・ラックにおいて、前記本体が、更に、前記本体の底面縁に取り付けられた可調節底部ブレーキ（７）を含み、前記底部ブレーキが、前記少なくとも１つのサーフボードが後ろ側に落下するのを防止するための阻止メカニズムとして役割を果たすように構成される、サーフボード・ラック。
【請求項１１】
請求項１記載のサーフボード・ラックにおいて、前記表面が垂直または水平である、サーフボード・ラック。
【請求項１２】
請求項１記載のサーフボード・ラックにおいて、更に、前記表面上に直接載せる代わりに、前記サーブボードの前記第２端部を載せ、緩衝を設けるように構成された上位載置支持体を含む、サーフボード・ラック。
【請求項１３】
請求項１記載のサーフボード・ラックにおいて、更に、前記フィンを定着させるように構成された定着メカニズムを含み、前記定着メカニズムが前記スリーブの内少なくとも１つに適用される、サーフボード・ラック。
【請求項１４】
少なくとも１つのサーフボードを据え付け、保管し、および表示する方法であって、前記少なくとも１つのサーフボードが、少なくとも２つの平行なフィンを有する第１端部と、第２端部とを含み、前記方法が、
ａ）サーフボード・ラックを入手するステップであって、前記サーフボード・ラックが、主要本体（１）と、少なくとも２つの支持スリーブ（４）とを含み、前記主要本体が、更に、少なくとも２つのアーム（２）と留め板（３）とを含む、ステップと、
ｂ）前記留め板を介して前記主要本体を表面に取り付けるステップと、
ｃ）前記第１端部の前記少なくとも２つの平行なフィンを、前記少なくとも２つの可調節支持スリーブ上にもたれさせ、前記第２端部を前記表面にもたれさせることによって、正面からの視界では前記サーフボード・ラックが見えないように維持するステップと、
を特徴とする、方法。
【請求項１５】
請求項１４記載の方法において、前記サーフボード・ラックが、前記少なくとも１つのサーフボードを収容したときに、正面からの視界では見えない、方法。
【請求項１６】
請求項１４記載の方法にであって、更に、前記支持スリーブの幅を調節するステップを含む、方法。
【請求項１７】
請求項１４記載の方法にであって、更に、前記少なくとも２つの滑りスリーブを異なるサーフボードの幅の異なる幅に対して、および／または特にサーフボードのフィン間の異なる長さに合わせて調節するステップを含む、方法。
【請求項１８】
請求項１４記載の方法にであって、更に、前記少なくとも２つの滑りスリーブに、その端部の各々においてバリアを取り付けるステップを含み、前記バリアが、前記サーフボードを適所にて安定させ、それが滑り落ちるまたは落下するのを防止する、方法。
【請求項１９】
請求項１４記載の方法にであって、更に、前記少なくとも２つの滑りスリーブにクッション・リングを取り付けるステップを含み、前記クッション・リングが、前記サーフボード／フィンに対する損傷を防止する、方法。
【請求項２０】
請求項１４記載の方法にであって、更に、前記主要本体に少なくとも１つの照明装置を取り付けることによって、前記サーフボード背後のエリアおよびその周囲の表面を照らすステップを含む、方法。
【請求項２１】
請求項１４記載の方法にであって、更に、 
前記アームにおいて、その側面に沿って少なくとも１つの切り込み（８）を形成し、前記少なくとも２つの滑りスリーブに沿って少なくとも１つの突起（９）を形成するステップを含み、前記少なくとも１つの切り込みが、前記突起を収容することによって、前記少なくとも２つの滑りスリーブを前記アームに固定する、方法。
【請求項２２】
請求項１４記載の方法にであって、更に、前記本体の底面縁に取り付けられた可調節底部ブレーキ（７）によって、前記少なくとも１つのサーフボードが後ろ側に落下するのを防止するステップを含む、方法。
【請求項２３】
請求項１４記載の方法にであって、更に、前記表面上に直接載せる代わりに、前記サーフボードの前記第２端部を、前記表面に接続された上位載置支持体上に載せて、緩衝を設けるステップを含む、方法。
【請求項２４】
請求項１４記載の方法にであって、更に、前記フィンを前記サーフボード・ラックに定着させるステップを含む、方法。
【請求項２５】
少なくとも１つのシングル・フィン・サーフボードを、前記フィンを支えて留めることによって据え付け、保管し、および表示するサーフボード・ラックであって、前記少なくとも１つのシングル・フィン・サーフボードが、前記フィンを有する第１端部と、第２端部とを含み、前記サーフボード・ラックが、
ａ）少なくとも２つのアーム（２）と、表面上に取り付け可能な留め板（３）とを含む主要本体（１）と、
ｂ）前記少なくとも２つのアーム上に取り付け可能な可調節支持スリーブ（４）であって、前記第２端部が前記表面にもたれつつ、前記可調節支持スリーブ（４）が、前記サーフボードの前記第１端部上にある前記フィンを収容するように構成され、これによって前記サーフボード・ラック（１００）が、前記少なくとも１つのサーフボードを収容したときに、正面からの視界では見えなくなる、支持スリーブ（４）と、
ｃ）前記スリーブの各々において、前記サーフボードの重量を均等に分散させるように構成された２つの支持体と、
を含む、サーフボード・ラック。
【請求項２６】
請求項２５記載のサーフボード・ラックにおいて、更に、前記フィンを定着させるように構成された定着メカニズムを含み、前記定着メカニズムが前記スリーブの内少なくとも１つに適用される、サーフボード・ラック。
【請求項２７】
少なくとも１つのサーフボードを、前記サーフボードの少なくとも１つのフィンを支えて留めることによって据え付け、保管し、および表示するサーフボード・ラックであって、前記少なくとも１つのサーフボードが、前記少なくとも１つのフィンを有する第１端部と、第２端部とを含み、前記サーフボード・ラックが、
ａ）少なくとも２つのアーム（２）と、表面上に取り付け可能な留め板（３）とを含む主要本体（１）と、
ｂ）前記少なくとも２つのアーム上に取り付け可能な可調節支持スリーブ（４）であって、前記第２端部が前記表面にもたれつつ、前記可調節支持スリーブ（４）が、前記少なくとも１つのフィンを前記サーフボードの前記第１端部上に収容し、これによって、前記少なくとも１つのサーフボードを収容したとき、前記サーフボード・ラック（１００）が正面からの視界では見えなくなるように構成される、支持スリーブ（４）と、
を含む、サーフボード・ラック。
【請求項２８】
請求項２７記載のサーフボード・ラックにおいて、更に、１つのフィンを含むサーフボードを安定化させるように構成された着脱可能なハーネスを含む、サーフボード・ラック。
【発明の詳細な説明】
【技術分野】
【０００１】
本発明は、保管および表示デバイス、ならびにその方法に関するものである。更に具体的には、本発明は、サーフボードがそのフィンで支えて吊されるサーフボード・ラックに関するものである。
【従来技術】
【０００２】
既存のサーフボード・ラックは、水平型であれまたは垂直型であれ、サーフボードの枠体／本体の一部がラック上で吊される必要がある。この特性のために、不必要な空間を占め、高く持ち上げなければならないので、サーフボードに傷を付けるおそれがあり、更には人が怪我するおそれさえもある。このようなことは、例えば、米国特許第５８３３０７９号におけるように、ボードを床面上に置き、ボードの側面を抱きかかえて支えるラックに当てはまる。これらのラックは、通常、壁に隣接し、広い空間を占有し、サーフボードを損傷の危険に晒す。何故なら、その本体は環境および要素(environment and the elements)に完全に晒されるからである。あるいは、水平壁装着型ラックの場合のように、高く持ち上げて作業する必要がある場合が多く、時には頭上にまで持ち上げる必要があるので、多くの場合サーフボードをラック上に載せるのに困難を来すおそれがある。
【０００３】
サーフボード・ラックの中には、サーフボードを壁に隣接して、しかし壁に平行ではなく保持するものもあるが、不必要な空間を占める。一方で、サーフボード・ラックの中には、高く持ち上げて作業しなければならないものがあり、あるいはサーフボードまたはその一部に損傷を受ける危険に晒し、更には人に怪我させる危険に晒す。更に、現行の既存のラックはいずれでも、一旦サーフボードが載せられても、ラック自体またはその一部が見えてしまい、むき出しであり、はっきりわかってしまい、見た目が綺麗でない。また、これらは大抵の場合サーフボードをその側面または背面上で表示するが、ボード全体がその独特の形状および／または図柄を含んで見ることができるボードの全外観(full top view)程見た目が綺麗でない。
【発明の概要】
【発明が解決しようとする課題】
【０００４】
したがって、サーフボードを保管および表示するための更に便利なソリューションを提供する必要性が長年感じられていたが、未だに満たされていない。
【課題を解決するための手段】
【０００５】
本発明は、サーフボードを支えて留めることによって、サーフボードを据え付け(mount)、保管し、および表示するサーフボード・ラックを提供する。サーフボードは、少なくとも２つの平行なフィンを有する第１端部と、第２端部とを含む。サーフボード・ラックは、ａ）少なくとも２つのアーム（２）と、表面上に取り付け可能な留め板（３）とを含む主要本体（１）と、ｂ）少なくとも２つのアーム上に取り付け可能な支持スリーブ（４）であって、第２端部が前記表面にもたれつつ、可調節支持スリーブが、サーフボードの第１端部上にある少なくとも２つのフィンを収容するように構成される、支持スリーブ（４）とを含む。
【０００６】
本発明の他の目的は、以上の内任意のものにおいて定められたサーフボード・ラックを開示することであり、前記サーフボード・ラックが、前記少なくとも１つのサーフボードを収容したときに、正面からの視界では見えない。
【０００７】
本発明の他の目的は、以上の内任意のものにおいて定められたサーフボード・ラックを開示することであり、前記支持スリーブ（４）が調節可能である。
本発明の他の目的は、以上の内任意のものにおいて定められたサーフボード・ラックを開示することであり、前記主要本体、留め板、および可調節支持スリーブが、金属、プラスチック、複合材、木材、およびこれらの任意の組み合わせから成る一群から選択された材料で作られる。
【０００８】
本発明の他の目的は、以上の内任意のものにおいて定められたサーフボード・ラックを開示することであり、少なくとも２つの滑りスリーブが、異なるサーフボードの幅の異なる幅に対して、および／または特にサーフボードのフィン間の異なる長さに合わせて調節可能である。
【０００９】
本発明の他の目的は、以上の内任意のものにおいて定められたサーフボード・ラックを開示することであり、その端部の各々にバリアを含み、このバリアがサーフボードを適所にて安定させ、それが滑り落ちることまたは落下することを防止するように構成される。
【００１０】
本発明の他の目的は、以上の内任意のものにおいて定められたサーフボード・ラックを開示することであり、少なくとも２つの滑りスリーブが、前記サーフボード／フィンに対する損傷を防止するように構成されたクッション・リングを含む。
【００１１】
本発明の他の目的は、以上の内任意のものにおいて定められたサーフボード・ラックを開示することであり、少なくとも１つの照明装置が前記主要本体に取り付けられ、こうして前記サーフボード背後のエリアおよびその周囲の表面を照らす。
【００１２】
本発明の他の目的は、以上の内任意のものにおいて定められたサーフボード・ラックを開示することであり、前記少なくとも２つのアーム（２）が、その側面に沿って少なくとも１つの切り込み（８）を含み、前記少なくとも２つの滑りスリーブが、その側面に沿って細長い突起（９）を含み、前記少なくとも１つの切り込みが、前記突起を収容することによって、前記少なくとも２つの滑りスリーブを前記アームに固定するように構成される。
【００１３】
本発明の他の目的は、以上の内任意のものにおいて定められたサーフボード・ラックを開示することであり、前記本体が、更に、前記本体の底面縁に取り付けられた可調節底部ブレーキ（７）を含み、前記底部ブレーキが、前記少なくとも１つのサーフボードが後ろ側に落下するのを防止するための阻止メカニズムとして役割を果たすように構成される。
【００１４】
本発明の他の目的は、以上の内任意のものにおいて定められたサーフボード・ラックを開示することであり、前記表面が垂直または水平である。
本発明の他の目的は、以上の内任意のものにおいて定められたサーフボード・ラックを開示することであり、前記サーフボード・ラックが、更に、前記表面上に直接載せる代わりに、前記サーフボードの前記第２端部を載せ、緩衝を設けるように構成された上位載置支持体を含む。
【００１５】
本発明の他の目的は、以上の内任意のものにおいて定められたサーフボード・ラックを開示することであり、前記サーフボード・ラックが、更に、前記フィンを定着させるように構成された定着メカニズムを含む。
【００１６】
更に、本発明は、 サーフボードを据え付け、保管し、および表示する方法を提供する。このサーフボードは、少なくとも２つの平行なフィンを有する第１端部と、第２端部とを含む。この方法は、ａ）サーフボード・ラックを入手するステップであって、サーフボード・ラックが、主要本体（１）と、少なくとも２つの支持スリーブ（４）とを含み、主要本体が、更に、少なくとも２つのアーム（２）と留め板（３）とを含む、ステップと、ｂ）前記留め板を介して前記主要本体を表面に取り付けるステップと、ｃ）少なくとも２つの可調節支持スリーブの幅を、少なくとも２つのアーム上で調節するステップと、ｄ）第１端部の少なくとも２つの平行なフィンを少なくとも２つの可調節支持スリーブ上にもたれさせ、第２端部を表面にもたれさせるステップとを含む。
【００１７】
本発明の他の目的は、以上の内任意のものにおいて定められた方法を開示することであり、前記サーフボード・ラックが、前記少なくとも１つのサーフボードを収容したときに、正面からの視界では見えない。
【００１８】
本発明の他の目的は、以上の内任意のものにおいて定められた方法を開示することであり、更に、前記支持スリーブの幅を調節するステップを含む。
本発明の他の目的は、以上の内任意のものにおいて定められた方法を開示することであり、更に、少なくとも２つの滑りスリーブを異なるサーフボードの幅の異なる幅に対して、および／または特にサーフボードのフィン間の異なる長さに合わせて調節するステップを含む。
【００１９】
本発明の他の目的は、以上の内任意のものにおいて定められた方法を開示することであり、更に、少なくとも２つの滑りスリーブに、その端部の各々においてバリアを取り付けるステップを含み、このバリアがサーフボードを適所にて安定させ、それが滑り落ちるまたは落下するのを防止する。
【００２０】
本発明の他の目的は、以上の内任意のものにおいて定められた方法を開示することであり、更に、少なくとも２つの滑りスリーブにクッション・リングを取り付けるステップを含み、このクッション・リングが、サーフボード／フィンに対する損傷を防止する。
【００２１】
本発明の他の目的は、以上の内任意のものにおいて定められた方法を開示することであり、更に、主要本体に少なくとも１つの照明装置を取り付けることによって、サーフボード背後のエリアおよびその周囲の表面を照らすステップを含む。
【００２２】
本発明の他の目的は、以上の内任意のものにおいて定められた方法を開示することであり、更に、前記アームにおいてその側面に沿って少なくとも１つの切り込み（８）を形成し、前記少なくとも２つの滑りスリーブに沿って少なくとも１つの突起（９）を形成するステップを含み、前記少なくとも１つの切り込みが、前記突起を収容することによって、前記少なくとも２つの滑りスリーブを前記アームに固定する。
【００２３】
本発明の他の目的は、以上の内任意のものにおいて定められた方法を開示することであり、更に、前記本体の底面縁に取り付けられた可調節底部ブレーキ（７）によって、前記少なくとも１つのサーフボードが後ろ側に落下するのを防止するステップを含む。
【００２４】
本発明の他の目的は、以上の内任意のものにおいて定められた方法を開示することであり、更に、前記表面上に直接載せる代わりに、前記サーフボードの前記第２端部を、前記表面に接続された上位載置支持体上に載せて、緩衝を設けるステップを含む。
【００２５】
本発明の他の目的は、以上の内任意のものにおいて定められた方法を開示することであり、更に、前記フィンを前記サーフボード・ラックに定着させるステップを含む。
本発明は、更に、少なくとも１つのシングル・フィン・サーフボードを、前記フィンを支えて留めることによって据え付け、保管し、および表示するサーフボード・ラックを提供する。前記少なくとも１つのシングル・フィン・サーフボードが、前記フィンを有する第１端部と、第２端部とを含み、前記サーフボード・ラックが、ａ）少なくとも２つのアーム（２）と、表面上に取り付け可能な留め板（３）とを含む主要本体（１）と、ｂ）前記少なくとも２つのアーム上に取り付け可能な可調節支持スリーブ（４）と、前記スリーブの各々において前記サーフボードの重量を均等に分散させるように構成された２つの支持体とを含み、前記可調節支持スリーブ（４）が、前記第２端部が前記表面にもたれつつ、前記サーフボードの前記第１端部上にある前記フィンを収容するように構成され、これによって、前記サーフボード・ラック（１００）が、前記少なくとも１つのサーフボードを収容したときに、正面からの視界では見えなくなる。
【００２６】
本発明の他の目的は、以上の内任意のものにおいて定められたサーフボード・ラックを開示することであり、 前記サーフボード・ラックが、更に、前記フィンを定着させるように構成された定着メカニズムを含む。
【００２７】
本発明は、更に、少なくとも１つのサーフボードを、前記サーフボードの少なくとも１つのフィンを支えて留めることによって据え付け、保管し、および表示するサーフボード・ラックを提供する。前記少なくとも１つのサーフボードが、前記少なくとも１つのフィンを有する第１端部と、第２端部とを含む。前記サーフボード・ラックは、少なくとも２つのアーム（２）と、表面上に取り付け可能な留め板（３）とを含む主要本体（１）と、前記少なくとも２つのアーム上に取り付け可能な可調節支持スリーブ（４）とを含み、前記可調節支持スリーブ（４）が、前記第２端部が前記表面にもたれつつ、前記サーフボードの前記第１端部上にある前記少なくとも１つのフィンを収容するように構成され、これによって、前記少なくとも１つのサーフボードを収容したときに、前記サーフボード・ラック（１００）が正面からの視界では見えなくなる。
【００２８】
本発明の他の目的は、以上の内任意のものにおいて定められたサーフボード・ラックを開示することであり、前記サーフボード・ラックが、更に、シングル・フィンを含むサーフボードを安定化させるように構成された着脱可能なハーネスを含む。
【図面の簡単な説明】
【００２９】
以下の好ましい実施形態の詳細な説明では、その一部をなす添付図面を参照する。図面には、本発明を実施することができる具体的な実施形態が実証例として示される。尚、本発明の範囲から逸脱することなく、他の実施形態を利用してもよく、構造的変更を行ってもよいことは理解されよう。本発明は、これら具体的な詳細の一部または全部がなくても、特許請求の範囲にしたがって実施することができる。明確化のために、本発明に関係する技術分野において周知である技術的素材(material)については、本発明を不必要に曖昧にすることがないように、詳細には説明していない。
【図１】図１は、組み立てられたサーフボード・ラックの斜視図である。
【図２】図２は、本発明を分解し、その３つの主要コンポーネントを図示する分解図を示す。
【図３】図３は、調節可能な支持スリーブを示す。
【図４】図４は、スリーブを延ばしたときのサーフ・ラックの実施形態の底面図である。
【図５】図５は、角壁および静止点を示す斜め正面図からの、ラック上に据え付けられ吊されたサーフボードの一例の斜視図を示す。
【図６】図６は、ラック上に据え付けされ吊されたサーフボードの一例の横からの(from a side angle)側面図を示し、壁および静止点を示す。
【図７】図７は、アームを延ばしたラックを示し、更に、フィン間の幅が広い幅広サーフボードがどのようにその上に載るかを示す背面図である。
【図８】図８は、アームを少しだけ延ばしたラックを示し、更に、フィン間の幅が狭い細長サーフボードがどのようにその上に載るかを示す背面図である。
【発明を実施するための形態】
【００３０】
以下の好ましい実施形態の詳細な説明では、その一部をなす添付図面を参照する。図面では、本発明を実施することができる具体的な実施形態を実証例として示す。尚、本発明の範囲から逸脱することなく、他の実施形態を利用してもよく、構造的変更を行ってもよいことは理解されよう。本発明は、これら具体的な詳細の一部または全部がなくても、特許請求の範囲にしたがって実施することができる。明確化のために、本発明に関係する技術分野において周知である技術的素材については、本発明を不必要に曖昧にすることがないように、詳細には説明しない。
【００３１】
本発明において説明するサーフボード・ラックは、他のラックとは異なり、サーフボードをその上に載せて置くための支持母材(source)として、サーフボードのフィンを使用する。これは、調節可能であり、ユーザが空間を節約し、殆ど手間をかけずに、見えないものによって、ボードが壁上に滑らかに吊されているという粋な表示幻覚を生み出すことを可能にする。何故なら、一旦サーフボードが据え付けられたなら、ラックはその後ろに隠れて（正面の視点からは）完全に見えなくなるからである（その脇からは少し見える）。最初に、調節可能な滑りスリーブを適所までボードのフィンの幅に応じて締め付ける。次いで、ラックを壁（または所望の表面）の所望の高さのところに置く。次に、サーフボードをラック上に載せ、そのフィンがあるその底部が壁に面し、ラック上にフィンを載せる（フィンも壁に面する）。
【００３２】
このフィン据付型サーフボード・ラックでは、まず第一に、サーフボードの吊し方が新規である。何故なら、サーフボードの本体ではなく、そのフィンだけを水平ラック上に載せることによって生み出されるからである。つまり、これは保管のための超空間の節約ソリューションを生み出すのである。何故なら、サーフボードは壁に対して殆ど完全に面一であり平行になるからであり、ボードをラック上に載せるために、壁の自然な支持を利用するか、または最上部の台／支持部を追加して利用する。更に、フィンの自然に湾曲した形状の補助により、ボードはラック上でしっかりと確実に直立する。
【００３３】
更に、ラックは据え付けられたサーフボードの完全に背後に置かれるので、更にフィン間の幅に合わせて調節可能であるので、一旦ラック上に載せたなら、ラックは正面からの視点からは見えなくなる。このように、サーフボードが壁上に滑らかに浮いており、ラックはその後ろにあって見えない粋な表示となる。つまり、このラックは、一方では、サーフボードを保管するための超空間の節約ソリューションを生み出し、他方ではサーフボードを表示するための粋なソリューションを生み出す。このラックは、３つの主要部分、即ち、アーム（２）を有するＴ字状本体（１）、壁装着留め板(brace plate)（３）、および２つの可調節滑りスリーブ（４）で構成されている。
【００３４】
これより図１を参照すると、図１はサーフボード・ラックの斜視図を示す。ラックは、３つの主要コンポーネント、即ち、Ｔ字状本体（１）、スリーブ（４）、およびフィン状端部（５）で構成されている。Ｔ字状本体（１）は、２つの部分、即ち、アーム（２）および留め板（または壁装着具）（３）で構成されている。図１は、本発明が組み立てられた形状において、直立し延ばした状態を示す。
【００３５】
これより図２を参照すると、図２は、分解された本発明の分解図であり、本発明の３つの主要コンポーネントを示す。即ち、前述した、組み立てられ、直立し延ばした状態の本発明において、アーム（２）を含むＴ字状本体（１）、留め板（または壁装着具）（３）、スリーブ（４）、およびフィン状端部（５）を示す。アームの側面に沿って、スリーブをアームに固定する少なくとも１つの切り込み（８）（図４においてのみ見ることができる）がある。スリーブは、アームの切り込み内に、細長い突起（９）をその側面に沿って合わせることによって収容される。これらの切り込みは、スリーブが適所に固定されたまま留まるように、アーム上にスリーブを取り付けるための精密手段(means of precision)を備える。更に、これらはスリーブをアームに定着させる(lock)エリアも備える。
【００３６】
サーフボード・ラックの部品の全ては、プラスチック、またはプラスチックおよび鉱物の混合物、あるいは金属、あるいは木材で製造することができる。
主要本体（１）は、上から見ると、Ｔ字の形状になる。具体的な実施形態では、大凡、幅１１インチ、高さ３インチ、そして奥行き５インチである。これは、滑り可調節スリーブ（４）を支えて本体上に据えるための２つのアーム（２）で構成されている。
【００３７】
ラックは、あらゆる長さ、形状、またはサイズのフィンでも収容することができる。具体的な実施形態では、留め板壁装着具（３）は、大凡、高さ６インチ、幅３インチ、そして奥行き１／４インチである。これは、ラックの本体に隣接して接続され、床上における垂直方向空間にラックを壁上に取り付ける位置(point)および方法、または任意の他の表面または装置にそれを取り付ける位置および方法を提供する。留め板は、本体と一緒に１つのユニットとして製造することができ、または別個に製造することもできる。これを別個に製造すると、本体を留め板から取り外して、留め板のみを壁上に残すことが可能になり、つまり、簡単に保管するためにラックを容易に取り外して持ち去り、使用しないときには片付けることができる。
【００３８】
図１、図２および図３に詳細に示すように、２つの滑り可調節スリーブ（４）があり、これらは主要本体の２つのアーム（２）に接続する。具体的な実施形態では、これらのスリーブは、大凡、長さ５インチ、高さ１．２インチ、そして奥行き２．５インチである。また、これらも殆どプラスチック、木材、金属、ガラス、またはこれらの組み合わせで作られる。
【００３９】
これより図３を参照すると、図３は可調節スリーブ（４）を詳細に示す。各スリーブは、一端において、フィンの形状を有するバリア／端部（５）によって密閉される。サーフボードのフィンは、直接スリーブ上に載る。フィンが載るエリアは、クッション・リング／バンド（６）であり、スリーブの端部に近く、フィン状端部（５）に隣接し、更に図１に示すように、本体の終端(end tip)においてはラックの中間エリアに位置する。これらのクッション・バンドは、シリコン、軟質ビニール、または非常に耐久性がありしかも軟質である他の材料で作られ、サーフボードのフィンおよび本体の双方のために、緩衝性(cushioning quality)を備える。クッション・リングは、別個に製造され、スリーブ上に追加される。スリーブは、中空管体であり、本体のアームをそこに挿入することが可能である。内管（１８）は、スリーブを適所にて安定させ(secure)固定(fixate)し、これらがずれるのを防止するために、細長い突起（９）を有する。
【００４０】
各スリーブは、一端においてバリア／端部（５）によって密閉される。この実施形態では、それはフィンに似た形状になっている。このバリアは、非常に重要であり、２つの主要な機能を有する。１．これは測定ツールとして機能し、そのフィンの幅に基づいて、個々のサーフボードに対して、ラックの距離を調節し設定する。つまり、これは、サーフボードがラックの上に載ったときに、サーフボードの後ろにラックを隠す役割を果たす。２．これはボードに対して安全バリアとして機能し、ボードがスリーブから滑ること、および／またはその脇に落ちることを防止する。
【００４１】
これより図４を参照すると、図４は、サーフ・ラックの主要本体のアーム上に収容された可調節スリーブの底面図を示す。細長い突起（９）（図２および図３においてのみ見ることができる）は、螺旋穴（１３）または他の定着メカニズムを追加使用することによって、アーム上のある位置(point)にスリーブを固定させる。螺旋穴（１３）は、スリーブをアーム上の特定位置上に固定し定着させる(fixate and lock)ように機能する。最良の結果および安全性を得るために、スリーブは、ラックの隠蔽および安全性の双方のために、ボードのフィン間の正確な幅にできるだけ合わせて調節し、設定し、定着させなければならない。次いで、スリーブ（１３）内の螺旋穴に入れられた螺旋によって、または任意の他の定着メカニズムによって、スリーブを適所に締め付ける。この実施形態では、螺旋（またはボルト）は、サーフボード・フィンの螺旋と共通である、六角頭螺旋であり、アーレン（または六角）レンチの使用によって作業する。これは、大凡、長さ０．３〜０．５インチ、幅０．２インチである。図４に示す底面ブレーキ（７）は、本体の底面縁に取り付けられ、湾曲運動(curving motion)を阻止し、サーフボードが後ろに落ちるのを防止するメカニズムとして役割を果たす。この底面ブレーキは調節可能であり、前後に移動して、ラック上の異なる位置に載る、異なる形状およびサイズのサーフボードを収容することができる。このブレーキは、螺旋または異なる定着メカニズムのいずれかによって、ボードとの接触位置において締め付けられる。
【００４２】
他の実施態様および実施形態
フィン・ロック：双方のスリーブのバリア（フィン状端部）の中央部、または１つのみのスリーブ上において、定着アーム(locking arm)がバリア・スリーブの外側に配置され、定着アームが延長してフィンを更に適所に堅く定着させる。このアームは、フィンのサイズおよび長さに基づいて移動させ調節することができる。この定着アームは、レール上に載っており、レールはアームの長さを調節するのに役立つ。このアームは、留め具(clipping mechanism)によって、適所に定着させること、または解除することができる。この定着は、ボードが傾いてラックから落ちるのを防止する特別な保護として役割を果たす。
【００４３】
本体および留め板は、別々にして、別個に製造することができ、これら２つの部品が異なる長さで接続して以下の２つの効果を得ることが可能になる。１．異なるフィンの異なる長さに対処するために、ラックの奥行きを調節する。２．本体を取り外して、留め板だけを表面に取り付けたままにする。これは、ラックの容易な取り外し、移転、および保管を可能にする。
【００４４】
本体の異なる実施形態では、照明装置、バッテリ等を収容することができ、据え付けられたサーフボードの背後からこのエリアを照らすことができる。つまり、サーフボードを表示するために更に一層粋な効果を得て、サーフボード・ラックを照明取り付け具に換える。図１は、電球（１０）をどこに配するか、そして特別に設計されたハーネス（１７）、この場合はカップ形状のハーネスにどのように取り付けるかを示す。白熱電球は、本体の上面上に載せ、特別に設計された装置内に取り付けることができ、またはラックの本体内に埋め込むことができる。電球は、サーフボードが熱に晒されないことを確保するために、低電圧ＬＥＤ電球のような、熱放出が少ない電球にしなければならない。熱は、サーフボードの表面または糊塗を損傷するおそれがある。電球は、単に光を投射する単純な電球、または以下の照明効果を高めるために使用される特殊機構を有する特殊な電球にすることができる。１．照明の輝度および電力を制御するための調光電球。２．特殊なリモコンによって操作する遠隔制御ＲＧＢ電球。照明のＯＮ／ＯＦＦ動作、調光性、異なる色、およびその他の効果を制御する。３．前述した遠隔ＲＧＢ電球に似た能力を有するが、コンピュータまたは携帯電話を介して離れて操作するbluetooth（登録商標）またはwifi（登録商標）ＲＧＢ電球。この特殊電球は、インターネットまたはBluetooth（登録商標）の使用により、近くからまたは遠くからのラックの照明の遠隔制御を可能にする。
【００４５】
シングル・フィン・サーフボードの場合、２つの実施形態がある。１．１つだけのフィンに対処するために、ラックは異なった組み立てになり、フィンの各側にある２つの支持体が、サーフボードの支持を補強し重量を分散して、ボードが滑り落ちる(tip over)のを防止し、更にフィンから分裂して、ボードにまたは環境に損傷を生ずるのを防止する。また、シングル・フィン・ラックは、フィン、したがって、ボードを適所に定着させるために、ラックの底面エリアに定着メカニズムを有することもできる。２．１つのフィンを取り付けるような形状とされた着脱可能な装置を別個に供給および製造し、既存のラック上に追加する。これは、シングル・フィン以上のボードのために拡張機能の選択肢をユーザに与える。
【００４６】
５．多数のサーフボード。異なる実施形態では、ラックは、多数のサーフボードを並べて保管し支持するために、更に長く作ることができる。この異なるバージョンでは、ラックは、１つだけではなく多数のボードを保持するために延長し調節することができるが、全てが同じロッドに接続されるので、背後のラックが見えないという効果は得られない(forgo)。
【００４７】
６．また、ラックは、垂直面だけでなく、床のような水平面にも装着し取り付けることができる。この実施形態では、ラックは壁の近くで床の上に直立して配置されるか、またはサーフボードの上端において必要とされる載せるために支持体を備える任意の他の構成となる。図５〜図８は、サーフボード・ラックにおける１つのサーフボード収容を実証する。これらの図は、それぞれ、斜視図、側面図、および２種類の背面図を示す。
【００４８】
固定ラックの実施形態：もっと単純なラックのバージョンでは、可調節スリーブの使用を控えて、留め板と、アームを有するＴ字状本体を具体化することができる。つまり、ラックは固定長を有し可調節でなくなる。スリーブ上に備えることを意図されたバリア（またはフィン状端部）は、この場合代わりに、アームの先端に位置することになる。この実施形態では、しなしながら、殆どの場合ラックは隠れず、殆どのボードを載せたときに、アームの一部が見えてしまう。
【００４９】
必要に応じて、ボードの上位エリアを直接載せるために、上位載置支持体(top rest support)を追加することができる。この付属品は、表面上に直接載せる代わりに、ボードを横たわらせるために緩衝付き載置面を備える。この付属品では、様々な利点が更に得られる。これは、サーフボードおよび壁を接触ならびに通常の摩耗および断裂から保護するための緩衝位置(cushioning point)を備える。これは、サーフボード周囲およびその背後により多くの光を通過させ、こうして照明／浮遊効果を強調する。これは、上位係留    垂下構造(top tie-down feature)として使用するための弦を取り付ける位置を備え、ボードをその上位（ノーズ）エリアにおいて結び付け、こうして非常に安全なハーネスを備え、落下のあらゆる可能性を排除する。また、上位載置は、延長可能アームも具体化することができる。このアームは、ボードの幅に応じて調節することができる。アームの端部にあるクランプは、ボードを適所にて締め付けて保持することができる。
【図１】
2017511763.tif 000003
【図２】
2017511763.tif 000004
【図３】
2017511763.tif 000005
【図４】
2017511763.tif 000006
【図５】
2017511763.tif 000007
【図６】
2017511763.tif 000008
【図７】
2017511763.tif 000009
【図８】
2017511763.tif 000010
【国際調査報告】
2017511763.tif 000011
2017511763.tif 000012
2017511763.tif 000013